(57)【要約】      （修正有）【課題】ヘアケアの時間及び費用を節約できるワイヤレスマイナスイオンヘアケアキャップを提供する。【解決手段】人体頭部上に緊密に被せられる通気性を備える軟性キャップ体１を有し、軟性キャップ体１の内部に、複数の電熱部材３、少なくとも１個のマイナスイオン生成器４、少なくとも１個の電池２が設けられ、軟性キャップ体１の外周面に、各電熱部材３、マイナスイオン生成器４、電池２に接続されるコントローラ５が設けられ、コントローラ５は、動作時間及び使用温度を設定するとともに、電熱部材３及びマイナスイオン生成器４を動作制御して温熱及びマイナスイオンを放出し、放出された温熱及びマイナスイオンは、軟性キャップ体１に均一に充満されることにより頭髮が加熱され、マイナスイオンにより人体頭部の頭髮表面に保護層が形成される。【選択図】図４
0003225507.tif 000002
【実用新案登録請求の範囲】
【請求項１】
人体頭部上に緊密に被せられる通気性を備える軟性キャップ体を有し、
前記軟性キャップ体の内部に、複数の電熱部材、少なくとも１個のマイナスイオン生成器、少なくとも１個の電池が設けられ、
前記軟性キャップ体の外周面に、前記各電熱部材、前記マイナスイオン生成器、前記電池に接続されるコントローラが設けられ、
前記コントローラは、動作時間及び使用温度を設定するとともに、前記電熱部材及び前記マイナスイオン生成器を動作制御して温熱及びマイナスイオンを放出し、
放出された前記温熱及び前記マイナスイオンは、前記軟性キャップ体に均一に充満されることにより頭髮が加熱され、前記マイナスイオンにより前記人体頭部の頭髮表面に保護層が形成されることを特徴とするワイヤレスマイナスイオンヘアケアキャップ。
【請求項２】
前記軟性キャップ体の開口位置に、前記軟性キャップ体を人体頭部に装着後、前記軟性キャップ体を緊密に結束する束緊ベルトが設けられていることを特徴とする請求項１に記載のワイヤレスマイナスイオンヘアケアキャップ。
【請求項３】
前記各電熱部材は、恒温効果を備えるセラミック電熱シートであることを特徴とする請求項２に記載のワイヤレスマイナスイオンヘアケアキャップ。
【請求項４】
前記軟性キャップ体の前記外周面に、前記電池が着脱自在な袋状の収容設置部が設けられていることを特徴とする請求項１に記載のワイヤレスマイナスイオンヘアケアキャップ。
【考案の詳細な説明】
【技術分野】
【０００１】
本考案は、ワイヤレスマイナスイオンヘアケアキャップに関し、特に人体頭部に装着し、使用者はヘアケア液、ヘアカール等と組み合わせることにより、乾燥、ヘアケア、整髮、ヘアセット等の多重使用機能を達成できるワイヤレスマイナスイオンヘアケアキャップに関する。
【背景技術】
【０００２】
一般に、人は、洗髪を完了後、通常はドライヤを用いて頭髮を乾かすことにより、風邪をひいたり、頭痛が発生したりするのを防ぐ。
【０００３】
ドライヤで頭髮を乾かす過程においては、通常は、片手で頭髮を梳き動かしながら、もう片方の手でドライヤを持ち、絶えずドライヤを移動させながら頭髮上方へと風を吹き付け、頭髪を均一に乾燥させる。
【０００４】
しかし、この従来の乾かし方は、手や腕の痛みを招くばかりか、熱風が髪に均一に当たりにくく、しかもエネルギーの浪費となっている。
【０００５】
また、女性は一般に、外見を重視し、髮の手入れとヘアスタイルにこだわりを持つ。
【０００６】
しかし、経済的理由から、一般家庭がサロン用のドライヤを購入するのは難しい。
【０００７】
そのため、女性達はヘアスタイルを整えたりヘアケアをしたりするためだけにヘアサロンに通うこととなり、金銭と時間を浪費している。
【０００８】
ここで、周知のように、一般に頭髮はプラス電荷を帯びている。
【０００９】
マイナスイオンドライヤは、マイナスイオンを発生しプラス電荷を中和し、頭髮表面に保護層を形成することにより、頭髪表面に約一割の水分を留めることができる。尚、マイナスイオンドライヤは、例えば特許文献１に開示されている。
【００１０】
マイナスイオンドライヤの使用の際は、水分を含んだマイナスイオンを頭髮上に付着させ、マイナスイオンを頭髮内部へと浸透させる。
【００１１】
同時に頭髮上のプラス電荷を中和することにより、非常に高い水分率が髮に維持され、髮が滑らかで柔らかくなり光沢が与えられることから、湿度を保持することにより頭髪が整えやすくなる。
【先行技術文献】
【特許文献】
【００１２】
【特許文献１】特開２００８−１２６１３９号公報
【考案の概要】
【考案が解決しようとする課題】
【００１３】
しかしながら、マイナスイオンドライヤの使用の際、頭髪に対しマイナスイオンを集中させ難く、効果を発揮しにくいといった問題があった。
【００１４】
本考案の目的は、上記問題点に鑑みてなされたものであり、使用者の頭部に装着し、電熱、マイナスイオン及びヘアケア液、ヘアカール等を用いることにより、乾燥、ヘアケア、整髪、ヘアセット等の多重使用機能を達成でき、しかも頭髮表面には保護層を形成し、その結果、ヘアケアの時間及び費用を節約できるワイヤレスマイナスイオンヘアケアキャップを提供することにある。
【課題を解決するための手段】
【００１５】
本考案によるワイヤレスマイナスイオンヘアケアキャップは、人体頭部上に緊密に被せられる通気性を備える軟性キャップ体を有し、前記軟性キャップ体の内部に、複数の電熱部材、少なくとも１個のマイナスイオン生成器、少なくとも１個の電池が設けられ、前記軟性キャップ体の外周面に、前記各電熱部材、前記マイナスイオン生成器、前記電池に接続されるコントローラが設けられ、前記コントローラは、動作時間及び使用温度を設定するとともに、前記電熱部材及び前記マイナスイオン生成器を動作制御して温熱及びマイナスイオンを放出し、放出された前記温熱及び前記マイナスイオンは、前記軟性キャップ体に均一に充満されることにより頭髮が加熱され、前記マイナスイオンにより前記人体頭部の頭髮表面に保護層が形成される。
【考案の効果】
【００１６】
本考案によれば、使用者は頭部に装着し、ヘアケア液、ヘアカール等を用いて、乾燥、ヘアケア、整髪、ヘアセット等の多重使用機能を達成でき、しかもマイナスイオンにより頭髮表面には保護層が形成され、その結果、ヘアケアの時間及び費用を節約することができるワイヤレスマイナスイオンヘアケアキャップを提供することができる。
【図面の簡単な説明】
【００１７】
【図１】本考案のワイヤレスマイナスイオンヘアケアキャップの分解斜視図
【図２】図１の軟性キャップ体の斜視図
【図３】図２の軟性キャップ体を、図２中のIII方向からみた斜視図
【図４】図３の軟性キャップ体を、図３中のIV方向からみた上面図
【図５】図１のワイヤレスマイナスイオンヘアケアキャップを、使用者の頭部に装着した状態を示す図
【考案を実施するための形態】
【００１８】
（実施例）
図１〜図４に示すように、ワイヤレスマイナスイオンヘアケアキャップ１００は、概ね帽子状に形成された通気性を備える軟性キャップ体１を有している。
【００１９】
軟性キャップ体１の上部開口位置に、図３に示すように、束緊ベルト１１が設けられている。
【００２０】
また、図３に示すように、軟性キャップ体１の外周面に、少なくとも１個の袋状に形成されるとともに、開閉可能な蓋体を備える収容設置部１２が設けられている。これにより収容設置部１２に電池２（電池２は収容設置部１２から取り外し後、充電器で充電可能）を収容、設置することができる。
【００２１】
さらに、図４に示すように、軟性キャップ体１の内周面に、複数の電熱部材３及び少なくとも１個のマイナスイオン生成器４が設けられている。
【００２２】
尚、本実施例においては、各電熱部材３は、軟性キャップ体１の内周面に対し円弧状に設けられており、マイナスイオン生成器４は、電池２に対向するよう設けられている。また、各電熱部材３は、恒温効果を備えるセラミック電熱シートから構成されている。
【００２３】
図１、図２に示すように、軟性キャップ体１の外周面に、コントローラ５が設けられている。コントローラ５は、コントロール回路、スクリーン５１（ＬＥＤ或いはＬＣＤ）、及び複数の設定ボタン５２を有している。
【００２４】
コントロール回路は、電池２、電熱部材３、マイナスイオン生成器４に接続されており、電熱部材３及びマイナスイオン生成器４の動作時間及び温度を制御、設定するとともに、動作時間及び温度をスクリーン５１に表示する。
【００２５】
また、図１に示すように、軟性キャップ体１の内周面に、網状インナースリーブ６が着脱（面テープを利用して着脱）自在となっている。尚、網状インナースリーブ６は、軟性キャップ体１から取り外して洗浄が可能となっている。
【００２６】
上記構成部材の組合せにより、ワイヤレスマイナスイオンヘアケアキャップ１００が構成される。
【００２７】
ワイヤレスマイナスイオンヘアケアキャップ１００を使用の際は、図５に示すように、軟性キャップ体１を頭部に被せ、コントローラ５により時間及び温度を設定（２０〜４５分の時間及び３７〜４５℃の温度で設定）する。
【００２８】
コントローラ５のコントロール回路は、電熱部材３が発する熱を制御するとともに、マイナスイオン生成器４を制御してマイナスイオンを発生させる。これにより熱とマイナスイオンは、軟性キャップ体１内部から放出され、こうして温熱とマイスイオンは軟性キャップ体１に均一に充満され、頭髮が加熱される。
【００２９】
使用者は、ワイヤレスマイナスイオンヘアケアキャップ１００をヘアケア液、ヘアカール等と組み合わせて使用することにより、乾燥、ヘアケア、整髪、ヘアセット等の多重使用機能を達成でき、しかもマイナスイオンにより頭髮表面には保護層が形成される。
【００３０】
また、ワイヤレスマイナスイオンヘアケアキャップ１００は、ワイヤレス式であるため、使用者はヘアケアの過程において自由に移動でき、通常の家事や仕事の妨げになることはなく、これによりヘアケアはより便利となる。
【００３１】
さらに、ワイヤレスマイナスイオンヘアケアキャップ１００の不使用の際は、軟性キャップ体１全体を折り畳むことができるため、携帯や収蔵に便利である。
【００３２】
また、ワイヤレスマイナスイオンヘアケアキャップ１００は、使用の度に、或いは一定時間の使用後に、軟性キャップ体１に装着された網状インナースリーブ６を取り外して洗浄できるため、衛生的に使用を続けることができる。
【００３３】
また、図５に示すように、ワイヤレスマイナスイオンヘアケアキャップ１００を使用する際は、軟性キャップ体１を頭部に被せるが、軟性キャップ体１の上部開口位置には、上述したように、束緊ベルト１１が設けられている。
【００３４】
このため、軟性キャップ体１を装着する際には、先ず上部開口位置が開くことから、頭部への装着に便利となっており、頭髮を軟性キャップ体１内部に入れ、装着が完成すると、束緊ベルト１１により緊密に結束されることにより、軟性キャップ体１は、人体頭部上に緊密に被せられる。
【００３５】
また、軟性キャップ体１を頭部に装着した後は、使用者は、コントローラ５により時間及び温度を設定する。尚、設定内容は、スクリーン５１に表示される。
【００３６】
その後、コントローラ５により電熱部材３及びマイナスイオン生成器４が制御し、温熱とマイナスイオンとが発生される。これにより温熱は軟性キャップ体１内部から放出され、温熱とマイスイオンは軟性キャップ体１に均一に充満する。その結果、頭髮が加熱される。よって、使用者は、ワイヤレスマイナスイオンヘアケアキャップ１００を、ヘアケア液、ヘアカール等を組み合わせることで、乾燥、ヘアケア、整髪、ヘアセット等の多重使用機能を達成でき、しかもマイナスイオンにより頭髮表面には保護層が形成される。
【００３７】
尚、使用者は、ワイヤレスマイナスイオンヘアケアキャップ１００を装着した後であっても、上述したように、自由に移動できるため、通常の家事や仕事の妨げになることはない。
【００３８】
設定時間が終了すると、該コントローラ５のコントロール回路は、電熱部材３及びマイナスイオン生成器４の動作を自動的に中止する。
【００３９】
使用過程中に停止したい（使用者が熱過ぎる、或いは身体の不調を感じたり、或いは他の突発的な状況が発生したりした）場合は、使用者は、コントローラ５の設定釦５２によりいつでもストップできる。
【００４０】
使用完了後、軟性キャップ体１を頭部から外すと、軟性キャップ体１全体を折り畳むことができるため、携帯や収蔵に便利である。
【００４１】
以上から、ワイヤレスマイナスイオンヘアケアキャップ１００は、軟性材質の軟性キャップ体１に、電池２、電熱部材３、マイナスイオン生成器４、コントローラ５が設けられて構成されている。
【００４２】
これにより、使用者は、ワイヤレスマイナスイオンヘアケアキャップ１００を頭部に装着し、ヘアケア液、ヘアカール等を用いて、乾燥、ヘアケア、整髪、ヘアセット等の多重使用機能を達成でき、しかもマイナスイオンにより頭髮表面には保護層が形成され、こうしてヘアケアの時間及び費用を節約することができる。
【産業上の利用可能性】
【００４３】
本考案は、実用新案登録の要件である新規性を備え、従来の同類製品に比べ十分な進歩を有し、実用性が高く、社会のニーズに合致しており、産業上の利用価値は非常に大きい。
【符号の説明】
【００４４】
１…軟性キャップ体
２…電池
３…電熱部材
４…マイナスイオン生成器
５…コントローラ
６…網状インナースリーブ
１１…束緊ベルト
１２…収容設置部
５１…スクリーン
５２…設定ボタン
【図１】
0003225507.tif 000003
【図２】
0003225507.tif 000004
【図３】
0003225507.tif 000005
【図４】
0003225507.tif 000006
【図５】
0003225507.tif 000007